(57)【要約】【課題】筐体内のトナー画像形成手段の特定ユニットの冷却効果も充分に行なわれて、高温化や騒音の発生等を防止して高品質の画像を形成する画像形成装置を提供する。【解決手段】トナー画像を被転写体（Ｐ）に転写してトナー画像を形成するトナー画像形成手段１と、トナー画像形成手段を覆う筐体２と、筐体内から直接に筐体外に気体を送風して排気する排気送風手段３と、排気送風手段が排気する気体を筐体外から直接に筐体内に送風して吸気する吸気送風手段４と、筐体内において排気送風手段及び吸気送風手段が送風により筐体内外に直接給排気する気体の流れと別の他の気体の流れを筐体内に送風して形成して上記トナー画像形成手段を冷却する筐体内送風手段５とからなる。【選択図】　　　図１
2004004198.tif 000002
【特許請求の範囲】
【請求項１】
筐体外から気体を吸気して筐体内から筐体外へ排気してトナー画像を形成する画像形成装置において、トナー画像を被転写体に転写してトナー画像を形成するトナー画像形成手段と、上記トナー画像形成手段を覆う筐体と、上記筐体内から直接に上記筐体外に気体を送風して排気する排気送風手段と、上記筐体外から直接に上記筐体内に送風して吸気する吸気送風手段と、上記筐体内において上記排気送風手段及び上記吸気送風手段が送風により上記筐体内外に直接給排気する気体の流れと別の他の気体の流れを上記筐体内に送風して形成して上記トナー画像形成手段を冷却する筐体内送風手段とからなることを特徴とする画像形成装置。
【請求項２】
請求項１に記載の画像形成装置において、排気送風手段は、筐体の左右の一方の後方上側に配置されて、筐体の左右の他方の後方下側に配置された吸気送風手段の上記筐体外から直接に上記筐体内に送風して吸気する気体を筐体の中央部よりも前寄りの左右方向と被転写体の搬送方向の副走査方向に流れを作り、上記筐体内から直接に上記筐体外に気体を送風して排気することを特徴とする画像形成装置。
【請求項３】
請求項１又は２に記載の画像形成装置において、筐体内送風手段は、被転写体の搬送方向に対して左右方向の主走査方向から送風して、排気送風手段及び吸気送風手段の送風により筐体内外に直接給排気する気体の流れと別の他の気体の流れを上記筐体内に形成してトナー画像形成手段を冷却することを特徴とする画像形成装置。
【請求項４】
請求項１、２又は３に記載の画像形成装置において、筐体内送風手段が送風により他の気体の流れを形成してトナー画像形成手段を冷却する風量は、上記排気送風手段及び上記吸気送付手段が送風により筐体内外に直接給排気する気体の流れを形成する風量より大きいことを特徴とする画像形成装置。
【請求項５】
請求項１、２、３又は４に記載の画像形成装置において、筐体内送風手段が送風により他の気体の流れを形成してトナー画像形成手段を冷却する風量は、上記排気送風手段及び上記吸気送付手段が送風により筐体内外に直接給排気する気体の流れを形成する風量より５％以上５０％以下の範囲で大きいことを特徴とする画像形成装置。
【請求項６】
請求項１、２、３、４又は５に記載の画像形成装置において、筐体内送付手段は、上記排気送風手段及び上記吸気送付手段が送風により筐体内外に直接給排気する気体の流れを形成する駆動に対して、独立して駆動されて他の気体の流れを形成してトナー画像形成手段を冷却することを特徴とする画像形成装置。
【請求項７】
請求項項１、２、３、４、５又は６に記載の画像形成装置において、筐体内送付手段は、上記排気送風手段及び上記吸気送付手段が送風により筐体内外に直接給排気する気体の流れを形成する風量が停止又は減少しても、連続して駆動されて筐体内の気体を送風して、他の気体の流れを形成してトナー画像形成手段を冷却することを特徴とする画像形成装置。
【請求項８】
請求項項１、２、３、４、５、６又は７に記載の画像形成装置において、筐体内送風手段が送風により形成する他の気体の流れは、トナー画像形成手段を構成する１又は複数のユニットの近傍に配置したことを特徴とする画像形成装置。
【請求項９】
請求項項８に記載の画像形成装置において、トナー画像形成手段を構成するユニットは、像担持体ユニットであることを特徴とする画像形成装置。
【請求項１０】
請求項項８に記載の画像形成装置において、トナー画像形成手段を構成するユニットは、帯電ユニットであることを特徴とする画像形成装置。
【請求項１１】
請求項項８に記載の画像形成装置において、トナー画像形成手段を構成するユニットは、潜像形成ユニットであることを特徴とする画像形成装置。
【請求項１２】
請求項項８に記載の画像形成装置において、トナー画像形成手段を構成するユニットは、現像ユニットであることを特徴とする画像形成装置。
【請求項１３】
請求項項８に記載の画像形成装置において、トナー画像形成手段を構成するユニットは、中間転写ユニットであることを特徴とする画像形成装置。
【請求項１４】
請求項項８に記載の画像形成装置において、トナー画像形成手段を構成するユニットは、定着ユニットであることを特徴とする画像形成装置。
【請求項１５】
請求項項８に記載の画像形成装置において、トナー画像形成手段を構成するユニットは、クリーニングユニットであることを特徴とする画像形成装置。
【請求項１６】
請求項項８に記載の画像形成装置において、トナー画像形成手段を構成するユニットは、電装ユニットであることを特徴とする画像形成装置。
【発明の詳細な説明】
【０００１】
【発明の属する技術分野】
本発明は、トナー画像を形成する複写機、ファクシミリ装置、プリンタあるいはこれらの複合機等の画像形成装置に関し、詳しくは、筐体外から気体を吸引して筐体内から筐体外へ排気する換気構造を備えた画像形成装置の改良に関する。
【０００２】
【従来の技術】
レーザプリンタ等の転写紙上にトナー画像を形成する画像形成装置は、電源、又は、電気制御部品からなる電装ユニット、定着ユニット、書込みユニット等の複数の発熱体や不要ガス発生体を備えているため、装置内の各部位の冷却、及び、装置内で発生するオゾンやＮＯＸ等の不要ガスを除去する必要があり、そのために、装置内の空気を外気と換気するための送風手段、換気手段を具備している。
このような、送風手段としては、一般的に、軸流ファンやシロッコファンなどの回転する羽等の作用で負圧を発生させ、給排気を実施している。
従来の電子写真方式の画像形成装置の外や装置内に直接、給排気する冷却ファンは、吸気量と排気量を同じにするため、同一風量とすることが一般的で、排気風量の風量を若干大きくするする事も一般的である。
又、電子写真方式画像形成装置において、装置本体内にチャージワイヤを有する帯電器と、ヒータを有する定着器と、ポリゴンモータとを設け、ポリゴンモータは感光体よりも定着器側において定着器の近傍に配置されており、定着器と感光体との間の端部近傍から、定着器と感光体との長手方向に外気を直接吸引する吸気ファンと、この吸気ファンによって吸引された気流を分流して、その一部をポリゴンモータに吹き付け、他部を帯電器側に流すダクトが設けれて、複数の排気ファンから内気を直接排気するようにして、比較的小型で少数のファンを使用することが出来て安価であり、また効率良く装置内を冷却するとともにオゾンを処理し、しかも塵埃の進入するのを防止し、低騒音化を実現することは公知である（特開平７−１３４５３２号の公報を参照）。
【０００３】
更に、同一出願人から、筐体に覆われたトナー画像形成手段の特定ユニット、又は、その特定部位を冷却する目的で、筐体内に設け、且つ、筐体外に直接排気しない構成の冷却ファンを持っていて、そのファンの筐体内の気体を送風して形成される気体の流れが、筐体の外や筐体内に直接、給排気する気体の流れと一体となり、トナー画像形成手段の特定ユニット、又は、その特定部位を冷却して排気することも提案されているが、筐体に覆われたトナー画像形成手段の冷却効果は、各ユニットに対しては充分ではなかった。
従って、従来の画像形成装置は、定着ユニット、潜像形成ユニット等の複数の発熱体や不要ガス発生体を備えていて、装置内の各部位の冷却、及び、装置内で発生するオゾンやＮＯＸ等の不要ガスを除去する目的で、送風手段として、回転する羽等の作用で負圧を発生させる軸流ファンやシロッコファン等を１個、又は、複数個を具備して、筐体の外から直接吸引された気流をダクトを使用して分流して、又は、筐体内の気体を送風して、筐体の外に直接に排気しても、筐体内のトナー画像形成手段の特定ユニット、又は、その特定部位の冷却効果が不十分で高温度になり、トナー凝集等による形成画像の品質低下や騒音の発生等の不具合が生じていた。
【０００４】
【発明が解決しようとする課題】
そこで本発明の課題は、このような問題点を解決するものである。即ち、筐体内のトナー画像形成手段の特定ユニットの冷却効果も充分に行なわれて、高温化や騒音の発生等を防止して高品質の画像を形成する画像形成装置を提供することを目的とする。
【０００５】
【課題を解決するための手段】
上記目的を達成するために、請求項１の本発明は、筐体外から気体を吸気して筐体内から筐体外へ排気してトナー画像を形成する画像形成装置において、トナー画像を被転写体に転写してトナー画像を形成するトナー画像形成手段と、上記トナー画像形成手段を覆う筐体と、上記筐体内から直接に上記筐体外に気体を送風して排気する排気送風手段と、気体を上記筐体外から直接に上記筐体内に送風して吸気する吸気送風手段と、上記筐体内において上記排気送風手段及び上記吸気送風手段が送風により上記筐体内外に直接給排気する気体の流れと別の他の気体の流れを上記筐体内に送風して形成して上記トナー画像形成手段を冷却する筐体内送風手段とからなる画像形成装置であることを最も主要な特徴とする。
請求項２の本発明は、請求項１に記載の画像形成装置において、排気送風手段は、筐体の左右の一方の後方上側に配置されて、筐体の左右の他方の後方下側に配置された吸気送風手段が上記筐体外から直接に上記筐体内に送風して吸気する気体を筐体の中央部よりも前寄りの左右方向と被転写体の搬送方向の副走査方向に流れを作り、上記筐体内から直接に上記筐体外に気体を送風して排気する画像形成装置であることを主要な特徴とする。
請求項３の本発明は、請求項１又は２に記載の画像形成装置において、筐体内送風手段は、被転写体の搬送方向に対して左右方向の主走査方向から送風して、排気送風手段及び吸気送風手段が送風により筐体内外に直接給排気する気体の流れと別の他の気体の流れを上記筐体内に形成してトナー画像形成手段を冷却する画像形成装置であることを主要な特徴とする。
請求項４の本発明は、請求項１、２又は３に記載の画像形成装置において、筐体内送風手段の送風により他の気体の流れを形成してトナー画像形成手段を冷却する風量は、上記排気送風手段及び上記吸気送付手段が送風により筐体内外に直接給排気する気体の流れを形成する風量より大きい画像形成装置であることを主要な特徴とする。
【０００６】
請求項５の本発明は、請求項１、２、３又は４に記載の画像形成装置において、筐体内送風手段の送風して他の気体の流れを形成してトナー画像形成手段を冷却する風量は、上記排気送風手段及び上記吸気送付手段が送風により筐体内外に直接給排気する気体の流れを形成する風量より５％以上５０％以下の範囲で大きい画像形成装置であることを主要な特徴とする。
請求項６の本発明は、請求項１、２、３、４又は５に記載の画像形成装置において、筐体内送付手段は、上記排気送風手段及び上記吸気送付手段が送風により筐体内外に直接給排気する気体の流れを形成する駆動に対して、独立して駆動されて他の気体の流れを形成してトナー画像形成手段を冷却する画像形成装置であることを主要な特徴とする。
請求項７の本発明は、請求項項１、２、３、４、５又は６に記載の画像形成装置において、筐体内送付手段は、上記排気送風手段及び上記吸気送付手段の送風して筐体内外に直接給排気する気体の流れを形成する風量が停止又は減少しても、連続して駆動されて筐体内の気体を送風して、他の気体の流れを形成してトナー画像形成手段を冷却する画像形成装置であることを主要な特徴とする。
請求項８の本発明は、請求項項１、２、３、４、５、６又は７に記載の画像形成装置において、筐体内送風手段が送風により形成する他の気体の流れは、トナー画像形成手段を構成する１又は複数のユニットの近傍に配置した画像形成装置であることを主要な特徴とする。
請求項９の本発明は、請求項項８に記載の画像形成装置において、トナー画像形成手段を構成するユニットは、像担持体ユニットである画像形成装置であることを主要な特徴とする。
請求項１０の本発明は、請求項項８に記載の画像形成装置において、トナー画像形成手段を構成するユニットは、帯電ユニットである画像形成装置であることを主要な特徴とする。
【０００７】
請求項１１の本発明は、請求項項８に記載の画像形成装置において、トナー画像形成手段を構成するユニットは、潜像形成ユニットである画像形成装置であることを主要な特徴とする。
請求項１２の本発明は、請求項項８に記載の画像形成装置において、トナー画像形成手段を構成するユニットは、現像ユニットである画像形成装置であることを主要な特徴とする。
請求項１３の本発明は、請求項項８に記載の画像形成装置において、トナー画像形成手段を構成するユニットは、中間転写ユニットである画像形成装置であることを主要な特徴とする。
請求項１４の本発明は、請求項項８に記載の画像形成装置において、トナー画像形成手段を構成するユニットは、定着ユニットである画像形成装置であることを主要な特徴とする。
請求項１５の本発明は、請求項項８に記載の画像形成装置において、トナー画像形成手段を構成するユニットは、クリーニングユニットである画像形成装置であることを主要な特徴とする。
請求項１６の本発明は、請求項項８に記載の画像形成装置において、トナー画像形成手段を構成するユニットは、電装ユニットである画像形成装置であることを主要な特徴とする。
【０００８】
【作用】
上記のように構成された画像形成装置は、請求項１においては、筐体内送風手段により筐体内において排気送風手段及び吸気送風手段が送風により筐体内外に直接給排気する気体の流れと別の他の気体の流れを筐体内に送風して形成してトナー画像形成手段を冷却する。
請求項２においては、トナー画像を被転写体に転写してトナー画像を形成するトナー画像形成手段を覆う筐体内から直接に筐体外に気体を送風して排気する筐体の左右の一方の後方上側に配置された排気送風手段が排気する気体を、筐体の左右の他方の後方下側に配置された吸気送風手段が筐体外から直接に筐体内に送風して吸気する気体を筐体の中央部よりも前寄りの左右方向と被転写体の搬送方向の副走査方向に流れを作るようにして、筐体内送風手段により筐体内において排気送風手段及び吸気送風手段が送風により筐体内外に直接給排気する気体の流れと別の他の気体の流れを筐体内に送風して形成してトナー画像形成手段を冷却する。
請求項３においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを、筐体内に被転写体の搬送方向に対して左右方向の主走査方向から送風して形成してトナー画像形成手段を冷却する。
【０００９】
請求項４においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを筐体内に送風して形成してトナー画像形成手段を冷却すると、共に、筐体内送風手段の送風して他の気体の流れを形成してトナー画像形成手段を冷却する風量は排気送風手段及び吸気送付手段が送風により筐体内外に直接給排気する気体の流れを形成する風量より大きくする。
請求項５においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを筐体内に送風して形成してトナー画像形成手段を冷却すると、共に、筐体内送風手段の送風して他の気体の流れを形成してトナー画像形成手段を冷却する風量は排気送風手段及び吸気送付手段が送風により筐体内外に直接給排気する気体の流れを形成する風量より５％以上５０％以下の範囲で大きくする。
請求項６においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを筐体内に送風して形成してトナー画像形成手段を冷却すると、共に、筐体内送付手段は排気送風手段及び吸気送付手段が送風により筐体内外に直接給排気する気体の流れを形成する駆動に対して独立して駆動されて他の気体の流れを形成してトナー画像形成手段を冷却する。
【００１０】
請求項７においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを筐体内に送風して形成してトナー画像形成手段を冷却すると、共に、筐体内送付手段は排気送風手段及び吸気送付手段の送風して筐体内外に直接給排気する気体の流れを形成する風量が停止又は減少しても連続して駆動されて筐体内の気体を送風して他の気体の流れを形成してトナー画像形成手段を冷却する。
請求項８においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを筐体内に送風して形成して、筐体内送風手段が送風により形成する他の気体の流れはトナー画像形成手段を構成する１又は複数のユニットの近傍に配置してトナー画像形成手段を冷却する。
請求項９においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを筐体内に送風して形成して、筐体内送風手段が送風により形成する他の気体の流れはトナー画像形成手段を構成する像担持体ユニットの近傍に配置してトナー画像形成手段を冷却する。
【００１１】
請求項１０においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを筐体内に送風して形成して、筐体内送風手段が送風により形成する他の気体の流れはトナー画像形成手段を構成する帯電ユニットの近傍に配置してトナー画像形成手段を冷却する。
請求項１１においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを筐体内に送風して形成して、筐体内送風手段が送風により形成する他の気体の流れはトナー画像形成手段を構成する潜像形成ユニットの近傍に配置してトナー画像形成手段を冷却する。
請求項１２においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを筐体内に送風して形成して、筐体内送風手段が送風により形成する他の気体の流れはトナー画像形成手段を構成する現像ユニットの近傍に配置してトナー画像形成手段を冷却する。
請求項１３においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを筐体内に送風して形成して、筐体内送風手段が送風により形成する他の気体の流れはトナー画像形成手段を構成する中間転写ユニットの近傍に配置してトナー画像形成手段を冷却する。
【００１２】
請求項１４においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを筐体内に送風して形成して、筐体内送風手段が送風により形成する他の気体の流れはトナー画像形成手段を構成する定着ユニットの近傍に配置してトナー画像形成手段を冷却する。
請求項１５においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを筐体内に送風して形成して、筐体内送風手段が送風により形成する他の気体の流れはトナー画像形成手段を構成するクリーニングユニットの近傍に配置してトナー画像形成手段を冷却する。
請求項１６においては、トナー画像を被転写体に転写してトナー画像を形成するトナー画像形成手段を覆う筐体内から直接に筐体外に気体を送風して排気する排気送風手段が排気する気体を、吸気送風手段が筐体外から直接に筐体内に送風して吸気して、筐体内送風手段により筐体内において排気送風手段及び吸気送風手段が送風により筐体内外に直接給排気する気体の流れと別の他の気体の流れを筐体内に送風して形成して、筐体内送風手段が送風により形成する他の気体の流れはトナー画像形成手段を構成する電装ユニットの近傍に配置してトナー画像形成手段を冷却する。
【００１３】
【発明の実施の形態】
次に、本発明の実施の形態を図面を参照して詳細に説明する。
図１は本発明の送風手段を備えた画像形成装置の一例の全体略図であり、同図において、筐体外から気体を吸気して筐体内から筐体外へ排気する画像形成装置０は、トナー画像を被転写体（Ｐ）の転写用紙に転写してトナー画像を形成するトナー画像形成手段１と、上記トナー画像形成手段１の像担持体ユニット１ａ、帯電ユニット１ｂ、潜像形成ユニット１ｃ、現像ユニット１ｄ、中間転写ユニット１ｅ、クリーニングユニット１ｇ、及び、電装ユニット１ｈ等を覆う筐体２のカバーと、上記筐体２のカバー内から直接に上記筐体２のカバー外に気体を送風して排気する排気送風手段３の排気ファンと、外気を筐体２のカバー外からカバー内に吸気する吸気送風手段４の吸気ファンと、筐体２のカバー内において上記排気送風手段３の排気ファン、及び、上記吸気送風手段４の吸気ファンが送風により上記筐体２のカバー内外に直接給排気する気体の流れと別の他の気体の流れを上記筐体２のカバー内に送風して形成して上記トナー画像形成手段１の各上記像担持体ユニット１ａ、上記帯電ユニット１ｂ、上記潜像形成ユニット１ｃ、上記現像ユニット１ｄ、上記中間転写ユニット１ｅ、上記クリーニングユニット１ｇ、及び、上記電装ユニット１ｈ等を冷却する筐体内送風手段５の筐体内ファンとからなり、上記筐体２のカバー内の上記トナー画像形成手段１の各上記像担持体ユニット１ａ、上記帯電ユニット１ｂ、上記潜像形成ユニット１ｃ、上記現像ユニット１ｄ、上記中間転写ユニット１ｅ、上記クリーニングユニット１ｇ、及び、上記電装ユニット１ｈ等の、入り組んだ何れの特定ユニットの冷却効果も充分に行なわれて、高温化や騒音の発生等を防止して高品質の画像を形成する。
【００１４】
上記排気送風手段３の排気ファンは、上記筐体２の後カバー２ａの図示左側の一方の後方上側に配置されて、後カバー２ａの図示右側の他方の後方下側に配置された吸気送風手段４の吸気ファンの後カバー２ａ外から直接に後カバー２ａ内に図示の矢印（Ａ）方向に吸気する気体をカバーの中央部よりも前寄りの図示の矢印（Ｂ）方向の左右方向と、被転写体（Ｐ）の転写用紙の図示の矢印（Ｃ）方向の搬送方向の副走査方向に冷却して温められた気体の流れを上方向に作り、上記筐体２の上記後カバー２ａ内から直接に後カバー２ａ外に気体を図示の矢印（Ｄ）方向に送風して効率良く排気するから、上記トナー画像形成手段１の各ユニット１ａ〜、１ｅ、１ｇ、及び、１ｈ等を効率良く冷却して、高温化の発生等を防止して、高品質の画像を形成するようにする。
筐体内ファン５は、被転写体（Ｐ）の搬送方向に対して左右方向の図示の矢印（Ｅ）方向の主走査方向から送風して、排気ファン３、及び、吸気ファン４が送風により後カバー２ａの内外に直接給排気する気体の流れと別の他の気体の流れを筐体２内に形成して各ユニット１ａ〜１ｅ、１ｇ、及び、１ｈ等の、入り組んだ何れの特定ユニットの冷却効果も、更に、充分に行なわれて、高温化や騒音の発生等を防止して高品質の画像を形成するようにする。
尚、筐体内ファン５が送風により他の気体の流れを形成して各ユニット１ａ〜１ｅ、１ｇ、及び、１ｈ等を冷却する風量は、排気ファン３、及び、吸気ファン４が送風により上記筐体２のカバー内外に直接給排気する気体の流れを形成する風量よりも、５％以上５０％以下の範囲で大きくすることにって、上記トナー画像形成手段１の入り組んだ何れの各上記像担持体ユニット１ａ、上記現像ユニット１ｄ、上記排クリーニングユニット１ｇ等の温度を現状に比べ、３℃から６℃（温度低減値において：Ｄｅｇ）低減する冷却効果も充分に確実に行なわれて、高温化や騒音の発生等を確実に防止して、像担持体ユニット１ａ、上記現像ユニット１ｄ、上記クリーニングユニット１ｇ等の温度を低減することで、トナー凝集等による異常画像の発生を防止したり、上記排クリーニングユニット１ｇの満杯時期が延び、高品質の画像を確実に形成するようになった。
【００１５】
筐体内ファン５は、筐体２のカバーの外に対して給排気しないため、風量を変化させても、筐体２のカバーの外に排出するオゾン量や粉塵の量の変化は無い。そこで、筐体内ファン５が送風により他の気体の流れを形成する風量を、排気ファン３、及び、吸気ファン４の送風量よりも大きくすることで、各ユニット１ａ〜１ｅ、ｇ、及び、１ｈ等の冷却性能が向上する。
然し、筐体内ファン５が送風により他の気体の流れを形成する風量が、排気ファン３、及び、吸気ファン４の送風量よりも、５％以下の大きさの場合は冷却効果が激減するが、５０％以上を越える大きさになると、排気能力を上回ってしまい、上記筐体２のカバーの外に漏洩して、上記筐体２のカバー外騒音が増加する不具合が生ずることになる。
排気ファン３、及び、吸気ファン４は、トナー画像作成時、給排気の動作を行い、トナー画像作成終了後の所定時間経過時に、待機状態となり、その駆動を停止、又は、半分の風量運転の半速になる。
その目的は、排気ファン３、及び、吸気ファン４自体の駆動による上記筐体２のカバー外騒音の低減であり、上記画像形成装置０の省エネルギー設定機能により排気ファン３、及び、吸気ファン４の駆動を停止したり、その駆動速度を弱めるようになっている。
然し、筐体内ファン５は、排気ファン３、及び、吸気ファン４が送風により筐体２のカバー内外に直接給排気する気体の流れを形成する風量が停止又は減少しても、排気ファン３、及び、吸気ファン４の駆動に対して係わらずに独立であって、連続して駆動されて、上記筐体２のカバー内の気体を送風して、他の気体の流れを形成して像担持体ユニット１ａ、上記帯電ユニット１ｂ、上記潜像形成ユニット１ｃ、上記現像ユニット１ｄ、上記中間転写ユニット１ｅ、上記クリーニングユニット１ｇ、及び、上記電装ユニット１ｈ等を冷却するようになっている。
従って、排気ファン３、及び、吸気ファン４が送風により上記筐体２のカバー内外に直接給排気する気体の流れを形成する風量が停止又は減少しても、オゾン等の除去性能が低下することなく、筐体内ファン５が上記筐体２のカバー内に配置されているから、騒音値も高くない。
【００１６】
図２は本発明の他の実施形態に係る画像形成装置の構成を示す断面図であり、同図において、画像形成装置０におけるトナー画像形成手段１の像担持体ユニット１ａは、筐体内ファン５が送風により形成する他の気体の流れが近傍に配置され冷却効果も充分に行なわれ、ベルト状像担持体たる可撓性のベルト状感光体である像担持体ユニット１ａは、回動ローラ１ａ１、回動ローラ１ａ２間に架設され、筐体内ファン５が送風により形成する他の気体の流れが近傍に配置され冷却効果も充分に行なわれ上記電装ユニット１ｈの電源、及び、制御部により図示しない駆動モータで駆動される上記回動ローラ１ａ１の回転駆動により図示の矢印（Ｅ）方向の時計方向に搬送される。
上記像担持体ユニット１ａの表面は、筐体内ファン５が送風により形成する他の気体の流れが近傍に配置され冷却効果も充分に行なわれる帯電ユニット１ｂの帯電チャージャによって均一に帯電される。
上記潜像形成ユニット１ｃは、筐体内ファン５が送風により形成する他の気体の流れが近傍に配置され冷却効果も充分に行なわれる、静電像露光手段たるレーザー書き込み系である。
上記現像ユニット１ｄは、筐体内ファン５が送風により形成する他の気体の流れが近傍に配置され冷却効果も充分に行なわれる、後述するイエロー、マゼンタ、シアン、黒の現像剤のトナーを有する４つの現像器を一体的に形成したカラー現像装置である。
更に、上記中間転写ユニット１ｅは、筐体内ファン５が送風により形成する他の気体の流れが近傍に配置され冷却効果も充分に行なわれる、中間転写体たる中間転写ベルトであり、回動ローラ１ｅ１、回動ローラ１ｅ２の間に架設され、筐体内ファン５が送風により形成する他の気体の流れが近傍に配置され冷却効果も充分に行なわれ上記電装ユニット１ｈの電源、及び、制御部により図示しない駆動モータで駆動される上記回動ローラ１ｅ１の回転駆動により図示の矢印（Ｆ）の反時計方向に搬送される。
上記像担持体ユニット１ａのベルト状感光体と上記中間転写ユニット１ｅの中間転写ベルトは、ベルト状感光体１ａの回動ローラ１ａ２部で接触して、中間転写ベルト１ｅ側には、導電性を有するバイアスローラ１ｅ３が中間転写ベルト裏面に所定の条件で接触している。
ベルト状感光体１ａは、上記帯電ユニット１ｂの帯電チャージャによって均一に帯電された後に、上記潜像形成ユニット１ｃのレーザー書き込み系により、画像情報に基づき走査露光されて表面に静電潜像が形成される。
【００１７】
ここで、露光する画像情報は所望のフルカラー画像をイエロー、シアン、マゼンタ、及び黒の色情報に分解した単色の画像情報であり、この情報により半導体レーザー（図示せず）で発生されたレーザービーム（Ｌ）は、図示を省略した光学装置により走査、及び光路調整されたものである。
ここで、形成された静電潜像は、後述する上記現像ユニット１ｄの回転型現像装置により各々所定のイエロー、シアン、マゼンタ、及び、黒トナーで各々単色現像され、ベルト状感光体１ａ上に各々の色画像が順次形成される。
図示の矢印（Ｅ）方向に回動するベルト状感光体１ａ上に形成された各単色画像像は、ベルト状感光体１ａと同期して図示の矢印（Ｆ）方向に回動する中間転写ベルト１ｅ上に、イエロー、シアン、マゼンタ、及び、黒の単色毎に、上記バイアスローラ１ｅ３に印加された所定の転写バイアスにより順次重ね転写される。
中間転写ベルト１ｅ上に重ね合わされたイエロー、シアン、マゼンタ、及び、黒のトナー画像は、給紙台１ｉの給紙カセットから給紙ローラ１ｉ１、搬送ローラ対１ｉ２、レジストローラ対１ｉ３を経て転写部へ搬送された被転写体（Ｐ）の転写用紙上に転写ローラ１ｅ４により一括転写される。
転写終了後、被転写体（Ｐ）の転写用紙は、筐体内ファン５が送風により形成する他の気体の流れが近傍に配置され周辺の冷却効果も充分に行なわれる、上記定着ユニット１ｆにより定着されて、フルカラー画像が完成し、排紙ローラ対１ｊを経て排紙スタック１ｋに形成画像を排出して収納される。
【００１８】
上記クリーニングユニット１ｇの像担持体クリーニングユニット１ｇ１は、筐体内ファン５が送風により形成する他の気体の流れが近傍に配置され冷却効果も充分に行なわれる、ベルト状感光体１ａに常時当接し、ベルト状感光体１ａ上のトナーをクリーニングするクリーニングブレード１ｇ１１を含むクリーニング装置、及び、廃棄トナー回収用器である。
上記クリーニングユニット１ｇの中間クリーニングユニット１ｇ２は、筐体内ファン５が送風により形成する他の気体の流れが近傍に配置され冷却効果も充分に行なわれる、上記中間ユニット１ｅの中間転写体たる中間転写ベルトのクリーニング装置で、上記中間クリーニングユニット１ｇ２のクリーニングブレード１ｇ２１は、トナー画像形成動作中には中間転写ベルト１ｅ表面から離間した位置に保持され、トナー画像形成像が被転写体（Ｐ）の転写用紙上に転写された後に中間転写ベルト１ｅ表面に当接される。
中間転写ベルト１ｅ上より上記中間転写クリーニングユニット１ｇ２のクリーニングブレード１ｇ２１によって掻き取られた廃棄トナーは、クリーニング装置１ｇ２２内に設けられたオーガ１ｇ２３により、図面手前方向に搬送され、更に、プロセスカートリッジ１ｌ手前側面に設けられた、図示を省略した搬送部により廃棄トナー回収用器１ｇ３に搬送される。
所定量以上の廃棄トナーが上記廃棄トナー回収用器１ｇ３内に収容された時点で上記プロセスカートリッジ１ｌに対し交換することより、上記プロセスカートリッジ１ｌの長寿命化が図られる。
又、ベルト状感光体１ａ、上記帯電ユニット１ｂの帯電チャージャ、中間転写ベルト１ｅ、上記クリーニングユニット１ｇの上記像担持体クリーニングユニット１ｇ１と上記中間クリーニングユニット１ｇ２は、上記プロセスカートリッジ１ｌとして一体的に構成され、上記廃棄トナー回収用器１ｇ３は、上記プロセスカートリッジ１ｌに対して交換可能に組み込まれる。上記プロセスカートリッジ１ｌの上記レジストローラ１ｉ３側のケース外装部分は、被転写体（Ｐ）の転写用紙搬送ガイドとしての機能も備えている。
【００１９】
上記画像形成装置０の装置本体０ａの構造としては、不動部筐体たる本体フレーム０ａ１と、被転写体（Ｐ）の転写用紙の搬送経路が解放可能な前部筐体たる前フレーム０ａ２によって構成され、上記本体フレーム０ａ１の下部には、上記給紙台１ｉの給紙カセットを配置し、上記装置本体０ａ内部に上記現像ユニット１ｄのカラー現像装置、上記プロセスカートリッジ１ｌを交換可能に配置し、更に、その上方に、上記定着装置ユニット１ｆを配置し、上記装置本体０ａには、上記排紙スタック１ｋが形成される。
上記前フレーム０ａ２は、上記本体フレーム０ａ１に設けられた図示しない回転支持軸を中心に開閉回動可能に支持され、通常は図示の如く、上記本体フレーム０ａ１に対し閉じた状態で保持される。
被転写体（Ｐ）の転写用紙の搬送経路内に被転写体（Ｐ）の転写用紙ジャムが発生した場合には、図示しない前フレームロック機構を解除し、図示の矢印（Ｈ）方向に上記前フレーム０ａ２を解放する。
上記前フレーム０ａ２には、被転写体（Ｐ）の転写用紙の搬送経路内の一部を構成する上記搬送ローラ対１ｉ２、上記レジストローラ対１ｉ３、上記転写ローラ１ｅ４等が保持されており、上記前フレーム０ａ２を解放することにより、被転写体（Ｐ）の転写用紙の搬送経路が露出し、容易にジャム処理が行える。
この際に、他の作像系ユニットは不動であり、トナーの飛散や、漏洩等による不具合が発生しない。
【００２０】
【発明の効果】
本発明は、以上説明したように構成されているので、請求項１の発明によれば、筐体内のトナー画像形成手段の冷却効果も充分に行なわれて、高温化や騒音の発生等を防止して高品質の画像を形成する画像形成装置を提供することが出来るようになった。
請求項２の発明によれば、筐体内外の給排気が効率良く行なわれ、筐体内のトナー画像形成手段の冷却効果も充分に行なわれて、高温化や騒音の発生等を防止して高品質の画像を形成する画像形成装置を提供することが出来るようになった。
請求項３の発明によれば、筐体内のトナー画像形成手段の入り組んだところの冷却効果も、更に、充分に行なわれて、高温化や騒音の発生等を防止して高品質の画像を形成する画像形成装置を提供することが出来るようになった。
請求項４の発明によれば、筐体内のトナー画像形成手段の入り組んだところの冷却効果も充分に行なわれて、高温化や騒音の発生等を防止して高品質の画像を形成する画像形成装置を提供することが出来るようになった。
請求項５の発明によれば、筐体内のトナー画像形成手段の入り組んだところの冷却効果も充分に確実に行なわれて、高温化や騒音の発生等を確実に防止して高品質の画像を形成する画像形成装置を提供することが出来るようになった。
請求項６の発明によれば、カバー内外に直接給排気する気体の流れを形成する駆動に係わらずに筐体内のトナー画像形成手段の冷却効果も充分に行なわれて、高温化や騒音の発生等を防止して高品質の画像を形成する画像形成装置を提供することが出来るようになった。
請求項７の発明によれば、カバー内外に直接給排気する気体の流れを形成する風量が停止又は減少してもオゾン等の除去性能が低下することなく騒音値も高くなく、筐体内のトナー画像形成手段の冷却効果も充分に行なわれて、高温化や騒音の発生等を防止して高品質の画像を形成する画像形成装置を提供することが出来るようになった。
【００２１】
請求項８の発明によれば、筐体内のトナー画像形成手段の特定ユニットの冷却効果も充分に行なわれて、高温化や騒音の発生等を防止して高品質の画像を形成する画像形成装置を提供することが出来るようになった。
請求項９の発明によれば、筐体内のトナー画像形成手段の像担持体ユニットの冷却効果も充分に行なわれて、高温化や騒音の発生等を防止して高品質の画像を形成する画像形成装置を提供することが出来るようになった。
請求項１０の発明によれば、筐体内のトナー画像形成手段の帯電ユニットの冷却効果も充分に行なわれて、高温化や騒音の発生等を防止して高品質の画像を形成する画像形成装置を提供することが出来るようになった。
請求項１１の発明によれば、筐体内のトナー画像形成手段の潜像形成ユニットの冷却効果も充分に行なわれて、高温化や騒音の発生等を防止して高品質の画像を形成する画像形成装置を提供することが出来るようになった。
請求項１２の発明によれば、筐体内のトナー画像形成手段の現像ユニットの冷却効果も充分に行なわれて、高温化や騒音の発生等を防止して高品質の画像を形成する画像形成装置を提供することが出来るようになった。
請求項１３の発明によれば、筐体内のトナー画像形成手段の中間転写ユニットの冷却効果も充分に行なわれて、高温化や騒音の発生等を防止して高品質の画像を形成する画像形成装置を提供することが出来るようになった。
請求項１４の発明によれば、筐体内のトナー画像形成手段の定着ユニットの冷却効果も充分に行なわれて、高温化や騒音の発生等を防止して高品質の画像を形成する画像形成装置を提供することが出来るようになった。
請求項１５の発明によれば、筐体内のトナー画像形成手段のクリーニングユニットの冷却効果も充分に行なわれて、高温化や騒音の発生等を防止して高品質の画像を形成する画像形成装置を提供することが出来るようになった。
請求項１６の発明によれば、筐体内のトナー画像形成手段の電装ユニットの冷却効果も充分に行なわれて、高温化や騒音の発生等を防止して高品質の画像を形成する画像形成装置を提供することが出来るようになった。
【図面の簡単な説明】
【図１】本発明の実施の形態例を示す画像形成装置の概略を説明する後側斜視図。
【図２】本発明の実施の形態例を示す画像形成装置の主要部を説明する説明図。
【符号の説明】
０　画像形成装置、０ａ　装置本体、０ａ１　本体フレーム、
０ａ２　前フレーム
１　トナー画像形成手段、１ａ　像担持体ユニット、１ａ１　回動ローラ、
１ａ２　回動ローラ
１ｂ　帯電ユニット、
１ｃ　潜像形成ユニット、
１ｄ　現像ユニット、
１ｅ　中間転写ユニット、１ｅ１　回動ローラ、
１ｅ２　回動ローラ、
１ｅ３　バイアスローラ、
１ｅ４　転写ローラ、
１ｆ　定着ユニット、
１ｇ　クリーニングユニット、
１ｇ１　像担持体クリーニングユニット、
１ｇ１１　クリーニングブレード、
１ｇ２　中間転写クリーニングユニット、
１ｇ２１　クリーニングブレード、
１ｇ２２　クリーニング装置、
１ｇ２３　オーガ、
１ｇ３　廃棄トナー回収用器、
１ｈ　電装ユニット、
１ｉ　給紙台、１ｉ１　給紙ローラ、
１ｉ２　搬送ローラ対、
１ｉ３　レジストローラ対、
１ｊ　排紙ローラ対、
１ｋ　排紙スタック、
１ｌ　プロセスカートリッジ
２　筐体、２ａ　後カバー
３　排気送風手段
４　吸気送風手段
５　筐体内送風手段
【図１】
2004004198.tif 000003
【図２】
2004004198.tif 000004